(57)【要約】【課題】プラズマディスプレイ装置内部での不具合により、プラズマディスプレイモジュールに画像信号が入力されない場合に、容易に不具合箇所を特定できるモジュールを提供する。【解決手段】プラズマディスプレイパネル１と、ケーブル２７を介して画像信号を入力するコネクタ３５と、画像信号を信号処理してプラズマディスプレイパネル１を駆動する信号に変換する画像信号処理回路５０と、画像信号処理回路５０を制御する制御回路とを含むプラズマディスプレイモジュール４０であって、ケーブル２７がコネクタ３５から外されて画像信号が入力されていないときに所定の画像を表示する。【選択図】図３
2007225640.tif 000002
【特許請求の範囲】
【請求項１】
プラズマディスプレイパネルと、
ケーブルを介して画像信号を入力するコネクタと、
前記画像信号を信号処理して前記プラズマディスプレイパネルを駆動する信号に変換する信号処理回路と、
前記信号処理回路を制御する制御回路とを含むプラズマディスプレイモジュールであって、
前記ケーブルが前記コネクタから外されて前記画像信号が入力されていないときに所定の画像を表示することを特徴とするプラズマディスプレイモジュール。
【請求項２】
前記コネクタは、少なくとも１つの端子に前記画像信号が入力されているか否かを検出するための検出端子を備えていることを特徴とする請求項１に記載のプラズマディスプレイモジュール。
【請求項３】
前記検出端子は、前記コネクタが備える複数の端子のうちの中央部分に位置する端子に設けられていることを特徴とする請求項２に記載のプラズマディスプレイモジュール。
【発明の詳細な説明】
【技術分野】
【０００１】
本発明は、プラズマディスプレイパネルを用いたプラズマディスプレイモジュールに関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極対とデータ電極との対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００４】
プラズマディスプレイモジュール（以下、「モジュール」と略記する）の生産工程では、まず、パネルやパネルを駆動して画像表示するための画像信号処理回路やその制御回路を組み込んでモジュールを完成させ、パネルなどの基本性能確認を行っている。そして、動作確認がなされたモジュールをプラズマディスプレイ装置に組み込んでいる。モジュールでは高い電圧を用いてパネルを駆動しているために、万一、不具合が生じると多くの部品に波及することがある。そのため、従来はモジュールの異常を検出し、異常が生じた場合には速やかにパネルの放電を停止させ、制御回路などの破壊を最小限に抑えるようにしていた（例えば、特許文献１参照）。
【特許文献１】特開２００４−３６１６９０号公報
【発明の開示】
【発明が解決しようとする課題】
【０００５】
しかしながら、プラズマディスプレイ装置が市場で不具合が生じ、その場で修理をする場合があるが、通常、テスターなどの限られた機器以外は利用できないことが多く、修理の困難な場合が多い。そのため不具合の生じた回路ブロック全体を交換して修理を行うことが多い。
【０００６】
また、モジュールに画像信号が入力されない場合には、消費電力が増加するのを防ぐ等の目的で、一般に黒い画面が表示されるように制御されている。そのためにモジュールは正常に動作するにもかかわらず、モジュールに画像信号が入力されない場合には、何も画像表示されない。したがって、モジュールに不具合があるのか、あるいはモジュールの前段の回路ブロックに不具合があるのかを容易に特定できないことがあった。そのために手当たり次第に、回路ブロックごとに取り替えて修理せざるを得ない場合が多く、修理作業の効率が悪かった。
【０００７】
本発明のモジュールは、これらの課題に鑑みなされたものであり、プラズマディスプレイ装置で不具合が発生しても、容易に不具合箇所を特定できるモジュールを提供することを目的とする。
【課題を解決するための手段】
【０００８】
上記課題を解決するために本発明のモジュールは、パネルと、ケーブルを介して画像信号を入力するコネクタと、画像信号を信号処理してパネルを駆動する信号に変換する信号処理回路と、信号処理回路を制御する制御回路とを含むモジュールであって、ケーブルがコネクタから外されて画像信号が入力されていないときに所定の画像を表示することを特徴とする。
【０００９】
このような構成により、プラズマディスプレイ装置内部で不具合が発生しても、容易に不具合箇所を特定できるモジュールを提供することができる。
【００１０】
さらに、本発明のモジュールは、コネクタは少なくとも１つの端子に画像信号が入力されているか否かを検出するための検出端子を備えているように構成してもよい。このような構成により、コネクタからケーブルを外してコネクタの検出端子の信号を判定することにより、モジュールは正常に機能することを判定できる。
【００１１】
さらに、本発明のモジュールの検出端子は、コネクタが備える複数の端子のうちの中央部分に位置する端子に設けられているように構成してもよい。このような構成により、コネクタが部分的に接続されている場合でも、モジュールが正常に動作しているかの確認ができる。
【発明の効果】
【００１２】
本発明によれば、プラズマディスプレイ装置内部での不具合により、モジュールに画像信号が入力されない場合に、容易に不具合箇所を特定できる。
【発明を実施するための最良の形態】
【００１３】
以下、本発明の実施の形態におけるモジュールについて、図面を用いて説明する。
【００１４】
（実施の形態）
図１は本発明の実施の形態におけるモジュールに用いるパネルの構造を示す分解斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には複数のデータ電極８とそのデータ電極８を覆うように誘電体層９が形成され、データ電極８の間の誘電体層９上にデータ電極８と平行して隔壁１０が設けられている。また、誘電体層９の表面および隔壁１０の側面に蛍光体層１１が設けられている。そして、走査電極４および維持電極５とデータ電極８とが交差する方向に前面基板２と背面基板３とを対向配置しており、その間に形成される放電空間には、放電ガスとして、例えばネオンとキセノンとの混合ガスが封入されている。
【００１５】
図２は同モジュールに用いるパネルの電極配列図である。行方向にｎ本の走査電極ＳＣ１〜ＳＣｎ（図１の走査電極４）およびｎ本の維持電極ＳＵ１〜ＳＵｎ（図１の維持電極５）が交互に配列され、列方向にｍ本のデータ電極Ｄ１〜Ｄｍ（図１のデータ電極８）が配列されている。そして、１対の走査電極ＳＣ１〜ＳＣｎおよび維持電極ＳＵ１〜ＳＵｎ（ｉ＝１〜ｎ）と１つのデータ電極Ｄ１〜Ｄｍとが交差した部分に放電セルが形成され、放電セルは放電空間内にｍ×ｎ個形成されている。
【００１６】
図３は同モジュールの要部回路構成を示す回路ブロック図である。このプラズマディスプレイ装置は、画像音声入力回路２１、音声出力回路２２、スピーカ２３、マイコン２４、ＬＶＤＳ（Ｌｏｗ  Ｖｏｌｔａｇｅ  Ｄｉｆｆｅｒｅｎｔｉａｌ  Ｓｉｇｎａｌｉｎｇ）トランスミッタ２５、コネクタ２６、モジュール４０および電源回路（図示せず）を備えている。モジュール４０は、コネクタ３５、ＬＶＤＳレシーバ３６、パネル１、画像信号処理回路５０、データ電極駆動回路５１、タイミング発生回路５３、走査電極駆動回路５４、維持電極駆動回路５５を備えている。なお、コネクタ２６とコネクタ３５とはケーブル２７により接続されている。
【００１７】
画像音声入力回路２１は、プラズマディスプレイ装置に入力されるテレビ放送信号のデジタル信号処理を行う回路であり、地上デジタル放送や衛星デジタル放送を受信するアンテナからの信号を入力する端子３１、３２や、レコーダなどからの信号を入力する端子３３などが備わり、画像音声信号やそれらを含むデジタル信号が入力される。音声出力回路２２では復号された音声信号を増幅し、スピーカ２３から音声が出力される。マイコン２４はリモコン（図示せず）からの信号を受け付け、画像音声入力回路２１などを制御している。
【００１８】
一方、画像音声入力回路２１で復号された画像信号は、ＬＶＤＳトランスミッタ２５に入力される。そして、画像信号であるＲＧＢの各データと同期信号とがＬＶＤＳの差動信号に変換され、コネクタ２６からケーブル２７を介してモジュール４０の画像信号を入力するコネクタ３５に伝送される。そして、コネクタ３５からＬＶＤＳレシーバ３６へ差動信号が入力され、復号された画像信号のＲＧＢの各データと同期信号とが画像信号処理回路５０とタイミング発生回路５３へ入力される。ＬＶＤＳトランスミッタ２５が用いられるのは、データを多重することにより信号線の本数を大幅に減らすことと、差動信号を用いることにより高速のデジタル信号が妨害を発生しないように低レベルで安定に伝送するためである。
【００１９】
コネクタ２６には、１本の接地した端子２８が設けられている。また、ケーブル２７が接続されるモジュール４０側のコネクタ３５には、それに対応した端子３７が設けられ、抵抗Ｒ１を介して電源端子Ｖ１に接続されている。そして、電源端子Ｖ１には、電源電圧Ｖｃｃが印加されている。また、端子３７は画像信号処理回路５０に接続されている。この検出端子としての端子３７の信号を検出信号と呼称する。検出信号は、コネクタ２６、３５が正常にケーブル２７により接続されていれば接地されており、仮にケーブル２７がコネクタ２６、あるいはコネクタ３５から外れていると電源電圧Ｖｃｃが印加される。したがって、画像信号処理回路５０により、ケーブル２７がコネクタ２６、３５に正常に接続されているか、あるいはコネクタ２６、３５から外されているかを検出することが可能である。
【００２０】
次にモジュール４０の詳細な動作について説明する。画像信号処理回路５０は、復号されたＲＧＢの各データをサブフィールドごとの画像データに変換する。そして、データ電極駆動回路５１は、サブフィールドごとの画像データを各データ電極Ｄ１〜Ｄｍに対応する信号に変換し、各データ電極Ｄ１〜Ｄｍを駆動する。また、タイミング発生回路５３は復号された同期信号、すなわち水平同期信号Ｈおよび垂直同期信号Ｖをもとにして各種のタイミング信号を発生し、各回路へ供給する。走査電極駆動回路５４はタイミング信号にもとづいて走査電極ＳＣ１〜ＳＣｎに駆動電圧波形を供給し、維持電極駆動回路５５はタイミング信号にもとづいて維持電極ＳＵ１〜ＳＵｎに駆動電圧波形を供給する。
【００２１】
次に、パネル１を駆動するための駆動電圧波形とその動作について説明する。本発明の実施の形態においては、１フィールドを複数のサブフィールドに分割し、それぞれのサブフィールドは初期化期間、書込み期間、維持期間を有している。図４は同モジュールに用いるパネル１の各電極に印加する駆動電圧波形図である。
【００２２】
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、全ての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上などに蓄積した壁電荷により生じる電圧を指す。その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、全ての放電セルにおいて２回目の微弱な初期化放電を起こし、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧も書込み動作に適した値に調整される。
【００２３】
続く書込み期間では、走査電極ＳＣ１〜ＳＣｎを一旦Ｖｒ（Ｖ）に保持する。次に、データ電極Ｄ１〜Ｄｍのうち１行目に表示すべき放電セルのデータ電極Ｄ１〜Ｄｍに正の書込みパルス電圧Ｖｄ（Ｖ）を印加するとともに、１行目の走査電極ＳＣ１に走査パルス電圧Ｖａ（Ｖ）を印加する。このときデータ電極Ｄ１〜Ｄｍと走査電極ＳＣ１との交差部の電圧は、外部印加電圧（Ｖｄ−Ｖａ）（Ｖ）にデータ電極Ｄ１〜Ｄｍ上の壁電圧と走査電極ＳＣ１上の壁電圧とが加算されたものとなり、放電開始電圧を超える。そして、データ電極Ｄ１〜Ｄｍと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄ１〜Ｄｍ上にも負の壁電圧が蓄積される。このようにして、１行目に表示すべき放電セルで書込み放電を起こして各電極上に壁電圧を蓄積する書込み動作が行われる。一方、正の書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２４】
続く維持期間では、走査電極ＳＣ１〜ＳＣｎと維持電極ＳＵ１〜ＳＵｎとの間に維持パルス電圧Ｖｓ（Ｖ）を印加して、書込み放電による壁電荷形成を行った放電セルを選択的に放電させ発光させるが、このときの維持パルスおよび放電の詳細については後述することとして、ここでは概要を説明する。まず、維持電極ＳＵ１〜ＳＵｎには０（Ｖ）を、走査電極ＳＣ１〜ＳＣｎには正の維持パルス電圧Ｖｓ（Ｖ）をそれぞれ印加する。このとき書込み放電を起こしたｉ行目の放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層１１が発光する。そして走査電極ＳＣｉ上に負の壁電圧が蓄積され、維持電極ＳＵｉ上に正の壁電圧が蓄積される。このときデータ電極Ｄ１〜Ｄｍ上にも正の壁電圧が蓄積される。書込み期間において書込み放電が起きなかった放電セルでは維持放電は発生せず、初期化期間の終了時における壁電圧状態が保持される。続いて、走査電極ＳＣ１〜ＳＣｎには０（Ｖ）を、維持電極ＳＵ１〜ＳＵｎには正の維持パルス電圧Ｖｓ（Ｖ）をそれぞれ印加する。すると、維持放電を起こしたｉ行目の放電セルでは、維持電極ＳＵｉ上と走査電極ＳＣｉ上との間の電圧が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。
【００２５】
続くサブフィールドにおける初期化期間、書込み期間、維持期間の動作も第１サブフィールドにおける動作と同様のため、説明を省略する。
【００２６】
上記した構成により、プラズマディスプレイ装置が組み立てられると、図３に示すようにケーブル２７はコネクタ２６、３５に接続されている。したがって、端子３７の検出信号はケーブル２７を介して、コネクタ２６の端子２８により接地されている。このように正常に動作する場合には、ＬＶＤＳレシーバ３６により復号されたＲＧＢの各データにもとづいて、モジュール４０は画像を表示する。例えば、図３に示すように、端子３１に入力された地上デジタル放送の画像信号は復号された後に、ＬＶＤＳトランスミッタ２５により差動信号に変換され、ケーブル２７を介してモジュール４０の画像信号を入力するコネクタ３５に入力される。そして、コネクタ３５に入力された画像信号は、ＬＶＤＳレシーバ３６により、画像信号のＲＧＢの各データと同期信号とに復号され、受信した画像信号がパネル１に表示される。
【００２７】
しかしながら、例えば工場でのプラズマディスプレイ装置の組み立て工程において、市場において不具合が生じ、ケーブル２７を通じてモジュール４０に画像信号のＲＧＢの各データや同期信号が正常に伝送されないことがある。このような場合には、コネクタ３５の端子３７の検出信号は、接地電位である。また、モジュール４０に画像信号のＲＧＢの各データや同期信号が入力されない場合には、モジュール４０内部にて画像データを全て黒レベルのデータとし、同期信号もモジュール内部にて作り出している。このためパネル１には何も表示されず、暗い画面のままとなる。この状態では、モジュール４０の不具合のために画像が表示されないのか、あるいはモジュール４０への信号を作り出す画像音声入力回路２１などの不具合なのかの判別は困難である。
【００２８】
このように不具合が生じた場合には、不具合個所を特定して市場での修理を迅速に行うために、ケーブル２７をコネクタ３５から引き抜く。このようにすれば、コネクタ３５の端子３７には電源電圧Ｖｃｃが抵抗Ｒ１を介して印加されているので、端子３７の検出信号は、接地電位から電源電圧Ｖｃｃへと変化する。そして、画像信号処理回路５０は、検出信号が電源電圧Ｖｃｃに等しければ全ての放電セルが発光するように制御する。したがって、所定の画像である全画面が白の画像を表示される。
【００２９】
このとき全ての放電セルが発光すれば、モジュール４０は正常に機能することが直ちに判定できる。したがって、不具合箇所は、モジュール４０の前段のケーブル２７とコネクタ２６、３５との接続部分や、画像音声入力回路２１などを含む回路ブロックと判定して、修理作業を進めることができる。そして、ケーブル２７の装着の再確認とその回路ブロックの交換などを行い、修理を行うことができる。
【００３０】
また、ケーブル２７をコネクタ３５から引き抜いたときに、全ての放電セルが発光しなかった場合には、モジュール４０が正常に動作しないことを直ちに判定できる。この場合は、モジュール４０の画像信号処理回路５０などを含む回路ブロックなどを交換することにより、修理作業を進めることができる。
【００３１】
このようにして、プラズマディスプレイ装置内部での不具合により、モジュールに画像信号が入力されない場合に、ケーブル２７をコネクタ３５から引き抜くことにより、モジュールは検出信号を判定して所定の画像を表示するので、容易に不具合箇所を特定できる。
【００３２】
なお、本実施の形態では、検出信号が電源電圧Ｖｃｃに等しい場合には、全ての放電セルを発光するように制御したが、画像信号処理回路５０に特定の画像パターンを表示するように放電セルを設定する情報を蓄えておいてもよい。このようにすれば判別しやすいメッセージを表示することが可能である。
【００３３】
なお、本実施の形態では、市場で不具合が生じた場合に、その不具合箇所を特定するためにケーブル２７を外して、コネクタ３５の端子３７の検出信号をモジュール４０が正常に動作するかどうかを判定するために用いた。しかし、プラズマディスプレイ装置の組み立て工程で、コネクタ２６、３５が十分に装着されていない場合は、端子３７の検出信号を判定して、所定の画像を表示できる。コネクタ２６、３５は周波数の高い電圧波形を有するデジタル信号を取り扱うため、伝送特性を考慮して小型化されており、目視ではその不具合を発見することが難しい。しかし本発明によれば、組み立て工程におけるコネクタ２６、３５の異常な装着を直ちに検出できるという効果がある。
【００３４】
また、ケーブル２７をコネクタ２６、３５に装着したときの不具合としては、片方の端の部分の端子のみが接続し、中央部分から他方の端の部分の端子は接続されていない場合がある。したがって、コネクタ２６、３５とケーブル２７との装着の異常を検知するための検出端子は、１つの端子のみを用いる場合には、コネクタ２６、３５が備える複数の端子のうちの中央部分に位置する端子を用いる。このようにすれば、コネクタ２６、３５のどちらかの端の部分の端子のみが接続しているような場合でも、装着の異常を検知できる。
【００３５】
また、コネクタ２６、３５の両端の部分の端子に同様の構成を用いてケーブル２７の装着の異常を検知するための検出端子としてもよい。このようにすれば、コネクタ２６、３５の装着が不十分なために一方の端の部分のみが接続されなかった場合には、少なくともどちらかの端子によって異常を検知できるので、よりケーブル２７の装着の異常を検出しやすくできる。
【００３６】
さらにまた、本実施の形態では、コネクタ２６の端子２８を接地し、コネクタ３５の端子３７に抵抗Ｒ１を介して電源端子Ｖ１にプルアップして、ケーブル２７の装着の異常を検出する検出信号を得ていたが、端子２８に抵抗を介して電源端子Ｖ１にプルアップするとともに、端子３７に抵抗を介して接地電位にプルダウンし、端子３７から検出信号を得るようにできる。このようにしても、画像信号処理回路５０に検出信号を入力して、ケーブル２７のコネクタ２６、３５への装着が異常な場合には検知できるので、全ての放電セルが発光するように制御することができる。したがってケーブル２７の装着の不具合を速やかに判定できる。
【００３７】
なお、検出信号は上記のような構成に限るものではなく、ケーブル２７が正常に装着されていない場合に端子２８と端子３７とが接続されないために、端子３７の電位がケーブル２７を正常に装着した場合に比べて変化し、画像信号処理回路５０によって検出できるようにすればよい。このようにすれば、ケーブル２７の装着の異常を検出して、全ての放電セルを発光させることにより、その異常状態を直ちに検知できる。
【産業上の利用可能性】
【００３８】
本発明のモジュールは、プラズマディスプレイ装置内部での不具合により、モジュールに画像信号が入力されない場合に、容易に不具合箇所を特定できるので、モジュール構成の表示パネルを有する表示装置などに対して有用である。
【図面の簡単な説明】
【００３９】
【図１】本発明の実施の形態におけるモジュールに用いるパネルの構造を示す分解斜視図
【図２】同モジュールに用いるパネルの電極配列図
【図３】同モジュールの要部回路構成を示す回路ブロック図
【図４】同モジュールに用いるパネルの各電極に印加する駆動電圧波形図
【符号の説明】
【００４０】
１    （プラズマディスプレイ）パネル
２    前面基板
３    背面基板
４    走査電極
５    維持電極
６，９    誘電体層
７    保護層
８    データ電極
１０    隔壁
１１    蛍光体層
２１    画像音声入力回路
２２    音声出力回路
２３    スピーカ
２４    マイコン
２５    ＬＶＤＳトランスミッタ
２６，３５    コネクタ
２７    ケーブル
２８，３７    端子
３６    ＬＶＤＳレシーバ
４０    （プラズマディスプレイ）モジュール
５０    画像信号処理回路
５１    データ電極駆動回路
５３    タイミング発生回路
５４    走査電極駆動回路
５５    維持電極駆動回路
【図１】
2007225640.tif 000003
【図２】
2007225640.tif 000004
【図３】
2007225640.tif 000005
【図４】
2007225640.tif 000006